(57)【要約】機械２００の盤３００に設置される制御装置１００は、機械ユーザとの情報の入出力に用いられるユーザインターフェース部１と、制御装置１００の機能の拡張又は性能の向上を実現する機能拡張装置３との情報の入出力を行う入出力処理部４と、を備え、ユーザインターフェース部１は機械２００の盤３００に開けた穴から露出するように盤３００に設置され、入出力処理部４はユーザインターフェース部１の背面に設置され、ユーザインターフェース部１の盤３００に開けた穴から露出した面に開口した挿入口６から、機能拡張装置３を挿入し、入出力処理部４と接続することを特徴とする。
2019138530.tif 000002
【特許請求の範囲】
【請求項１】
機械の盤に設置される制御装置において、
機械ユーザとの情報の入出力に用いられるユーザインターフェース部と、
前記制御装置の機能の拡張又は性能の向上を実現する機能拡張装置との情報の入出力を行う入出力処理部と、
を備え、
前記ユーザインターフェース部は前記機械の盤に開けた穴から露出するように前記盤に設置され、前記入出力処理部は前記ユーザインターフェース部の背面に設置され、前記ユーザインターフェース部の前記盤に開けた穴から露出した面に開口した挿入口から、前記機能拡張装置を挿入し、前記入出力処理部と接続することを特徴とする制御装置。
【請求項２】
前記ユーザインターフェース部は表示部または操作部のいずれかであることを特徴とする請求項１に記載の制御装置。
【請求項３】
前記挿入口は、外側面に第１のガイド部が形成された前記機能拡張装置を前記挿入口に挿入した際に、前記第１のガイド部と嵌まり合う第２のガイド部が内壁面に形成されていることを特徴とする請求項１または２に記載の制御装置。
【請求項４】
前記ユーザインターフェース部は、第１の固定手段を備えた前記機能拡張装置を前記挿入口から挿入し前記入出力処理部に接続した際に、第１の固定手段と嵌合し前記機能拡張装置を前記ユーザインターフェース部に固定する第２の固定手段を、
備えることを特徴とする請求項１から３のいずれか一つに記載の制御装置。
【請求項５】
前記ユーザインターフェース部は、挿入方向と反対側の端面に、前記挿入口よりも広がっているつば部を備えた前記機能拡張装置を前記挿入口から挿入し前記入出力処理部に接続した際に、前記つば部と密着し前記挿入口を密閉する密閉手段を、
備えることを特徴とする請求項１から４のいずれか一つに記載の制御装置。
【請求項６】
制御装置の機能の拡張又は性能の向上を実現する機能拡張装置において、
機械の盤に設置される制御装置のユーザインターフェース部に設けられた挿入口から挿入し、前記ユーザインターフェース部の背面に設置された入出力処理部と接続することを特徴とする機能拡張装置。
【請求項７】
内壁面に第２のガイド部が形成された前記挿入口に挿入した際に、前記第２のガイド部と嵌まり合う第１のガイド部を外側面に形成されていることを特徴とする請求項６に記載の機能拡張装置。
【請求項８】
第２の固定手段を備えた前記ユーザインターフェース部に設けられた前記挿入口から挿入した際に、第２の固定手段と嵌合し前記機能拡張装置を前記ユーザインターフェース部に固定する第１の固定手段を備えることを特徴とする請求項６または７に記載の機能拡張装置。
【請求項９】
挿入方向と反対側の端面に、前記挿入口よりも広がっているつば部を備え、
前記つば部は前記ユーザインターフェース部の前記挿入口の周囲に設けられた密着手段と密着し前記挿入口を密閉することを特徴とする請求項６から８に記載の機能拡張装置。
【発明の詳細な説明】
【技術分野】
【０００１】
本発明は機械の盤に設置される制御装置において機能の拡張又は性能の向上を容易に可能とする制御装置に関するものである。
【背景技術】
【０００２】
従来、制御装置の機能拡張と性能向上を実現できる手段として、ハードウェアオプションの手段がある。【０００３】
ハードウェアオプションとは、機能拡張部分又は性能向上部分の回路を備えた機能拡張装置を制御装置に装着することで機能拡張又は性能向上を実現できる手段を指す。従来機械を制御するための処理を行っている制御部は機械の盤内に設置されているのが一般的で、機能拡張装置は、特許文献１に示されるように機能拡張装置を装着するための機能拡張装置用インターフェースを介して制御部と接続している。【０００４】
また、従来の制御装置は、表示パネルなどにより情報の表示を行う表示部もしくはキースイッチなどにより情報の入力を行う操作部などの、ユーザと情報の入出力を行うユーザインターフェース部に、メモリカードや通信手段等を使用できるように予め専用のインターフェースが備えられているものが一般的である。
【先行技術文献】
【特許文献】
【０００５】
【特許文献１】特開平１１−４０９５３
【発明の概要】
【発明が解決しようとする課題】
【０００６】
従来の制御装置において、機能拡張装置用インターフェースは特許文献１に示されるように、制御装置の制御部に備えられている。制御装置の制御部は機械の盤の内部に設置されるのが一般的であるため、機能拡張装置も制御装置の制御部と共に機械の盤の内部に設置されるのが一般的である。この構造では、機械ユーザは機能拡張装置を着脱するために機械の盤を開けた上で機能拡張装置の着脱作業を行う必要があり、表示部や操作部などの人が介在するユーザインターフェース部から直接着脱を行うことはできなかった。機械の盤の開閉による機能拡張装置の着脱作業には、作業に時間がかかる、機械ユーザにとって非定常作業であるため機械の損傷や作業者の受傷の恐れ等の問題があり、使用状況の変化、機械調整・測定作業、加工工程・加工対象物の変更といったたびたび発生するイベントに対して即座に機能追加や性能向上に対応するには適していないという問題があった。また、盤の開閉をせずにメモリカードや通信手段等を使用できるようにするためには、ユーザインターフェース部にメモリカードや通信手段等に対応した専用インターフェースを予め設置しておく必要があり、使用頻度の少ないインターフェースの場合、ユーザインターフェース部上のスペースを無駄に専有してしまうことになり、ユーザインターフェース部の小型化を阻害し、合理的ではないという問題があった。【０００７】
本発明は、上記に鑑みてなされたものであって、機械ユーザ自身が容易に機能の拡張及び性能の向上を可能とする制御装置を得ることを目的とする。
【課題を解決するための手段】
【０００８】
上述した課題を解決し、目的を達成するために、本発明は、機械の盤に設置される制御装置において、機械ユーザとの情報の入出力に用いられるユーザインターフェース部と、制御装置の機能の拡張又は性能の向上を実現する機能拡張装置との情報の入出力を行う入出力処理部と、を備え、ユーザインターフェース部は機械の盤に開けた穴から露出するように盤に設置され、入出力処理部はユーザインターフェース部の背面に設置され、ユーザインターフェース部の盤に開けた穴から露出した面に開口した挿入口から、機能拡張装置を挿入し、入出力処理部と接続することを特徴とする。
【発明の効果】
【０００９】
本発明によれば、機械ユーザによる機能拡張装置の着脱が容易になり、機械ユーザの使用状況の変化、機械調整・測定作業、加工工程・加工対象物の変更などに伴う機能の拡張又は性能の向上の要求に応じて、機械ユーザが自身で保有する機能拡張装置を着脱することによって、機械ユーザが必要な時に必要な機能・性能を所望の機械上で即座に実現することが可能となる。【００１０】
また、前記制御装置に加え、従来の制御装置の表示部に一般的に搭載されていたメモリインターフェース及び通信インターフェースの機能を持った機能拡張装置の他、機能追加及び性能向上が可能な機能拡張装置、及びその他各種の機能を持たせた機能拡張装置を幅広くラインナップし、機械ユーザに提供することで、機械ユーザに自身で必要な機能拡張装置を選択させ、機械ユーザの要求により合致した制御装置を提供することが可能となる。
また、必要な時に必要な機能拡張装置を装着すればよく、使用頻度の少ないインターフェースにユーザインターフェース部上のスペースを常時専有されることがなくなり、ユーザインターフェース部の小型化を図ることができる。また、複数台の制御装置で一つの機能拡張装置を共用することで機械ユーザが費用を削減することが可能となる。
【図面の簡単な説明】
【００１１】
【図１】表示部前面に機能拡張装置用インターフェースを持つ制御装置の例を示す図で、(a)は表示部を前方から見た図、(b)はＡ−Ａの断面で制御装置を側面方向から見た時の構成部品の位置関係を表した図である。
【図２】操作部前面に機能拡張装置用インターフェースを持つ制御装置の例を示す図で、(a)は操作部を前方から見た図、(b)はB−Bの断面で制御装置を側面方向から見た時の構成部品の位置関係を表した図である。
【図３】機能拡張装置のラインナップの例を示す図である。
【図４】加工工程・加工対象物の変更時に本発明がもたらす機械ユーザへの利便性向上の例を示す図である。
【図５】加工ワークの測定時に本発明がもたらす機械ユーザへの利便性向上の例を示す図である。
【図６】ユーザインターフェース部に備えられた挿入口にスナップフィット式固定手段を備えた機能拡張装置を装着した状態の一例を示す図である。
【図７】ユーザインターフェース部に備えられた挿入口の例を示す図で、(a)は機能拡張装置未接続時の状態、(b)はスナップフィット式固定手段を備えた機能拡張装置接続時の状態を示す。
【図８】ユーザインターフェース部に備えられた挿入口に、ネジ式固定手段を備えた機能拡張装置を装着した状態を示す図である。
【図９】ユーザインターフェース部に備えられた挿入口の例を示す図で、(a)は機能拡張装置未接続時の状態、(b)はネジ式固定手段を備えた機能拡張装置接続時の状態を示す。
【発明を実施するための形態】
【００１２】
以下に、本発明の実施の形態にかかる制御装置を図面に基づいて詳細に説明する。なお、この実施の形態によりこの発明が限定されるものではない。
【００１３】
実施の形態１．
図１は表示部前面に機能拡張装置を挿入できる挿入口を備えた制御装置の例を示す図である。尚、制御装置の表示部は、機械ユーザが画面に表示された情報を確認したり、入出力操作を行えるように、図示しない機械の盤に開けた穴から露出するように盤に設置される。図１(a)は表示部を前方から見た図で、図１(b)はＡ−Ａの断面で制御装置を側面方向から見た時の構成部品の位置関係を表した図である。表示部１−１は前面右端に機能拡張装置３を着脱するための挿入口６を複数備え、表示部１−１の背面に機能拡張装置からの情報の入出力処理を行う入出力処理部４が配置されている。入出力処理部４は、盤の内部に設置され、表示部１−１の背面に配置した時に、挿入口６と対応する位置にくるように機能拡張装置用インターフェース５を備えた電子基板であり、図示しない制御部と入出力処理した情報の受渡しも行う。機能拡張装置３にも機能拡張装置用インターフェース５を備え、機能拡張装置３を挿入口６から挿入すると表示部１−１を貫通して、直接背面の入出力処理部４に実装されている機能拡張装置用インターフェース５に装着することができる。制御装置の図示しない制御部が表示部１−１の背面に配置される構成の場合には、制御装置の制御部の電子基板上に機能拡張装置用インターフェース５を設けることによって、機能拡張装置３を直接制御装置の制御部に接続しても良い。機能拡張装置３を挿入していない挿入口６には、異物等が盤の内部に侵入しないように、図示しない蓋を取り付けても良い。
【００１４】
図２は操作部前面に機能拡張装置を挿入できる挿入口を備えた制御装置の例を示す図である。尚、制御装置の操作部は、機械ユーザが入出力操作を行えるように、図示しない機械の盤に開けた穴から露出するように盤に設置される。図２(a)は操作部を前方から見た図で、図２(b)はＢ−Ｂの断面で制御装置を側面方向から見た時の構成部品の位置関係を表した図である。操作部１−２は操作部１−２の前面左部に機能拡張装置３を着脱するための挿入口６を複数備え、操作部１−２の背面に機能拡張装置からの情報の入出力処理を行う入出力処理部４が配置されている。入出力処理部４は、盤の内部に設置され、操作部１−２の背面に配置した時に、挿入口６と対応する位置にくるように機能拡張装置用インターフェース５を備えた電子基板であり、図示しない制御部と入出力処理した情報の受渡しも行う。機能拡張装置３を挿入口６から挿入すると操作部１−２を貫通して、直接背面の入出力処理部４に実装されている機能拡張装置用インターフェース５に装着することができる。制御装置の制御部が操作部１−２の背面に配置される構成の場合には、制御装置の制御部の電子基板上に機能拡張装置用インターフェース５を設けることによって、機能拡張装置３を直接制御装置の制御部に接続しても良い。機能拡張装置３を挿入していない挿入口６には、異物等が盤の内部に侵入しないように、図示しない蓋を取り付けても良い。
【００１５】
図３は機能拡張装置のラインナップの例を示す図である。ＳＤカードインターフェース（ＳＤカード  Ｉ／Ｆ）、ＵＳＢメモリインターフェース（ＵＳＢメモリ  Ｉ／Ｆ）、ＣＦ(CompactFlash：登録商標)カードインターフェース（ＣＦカード  Ｉ／Ｆ）などの外部メモリインターフェース、及びＥｔｈｅｒｎｅｔインターフェース（Ｅｔｈｅｒｎｅｔ  Ｉ／Ｆ）（Ｅｔｈｅｒｎｅｔ：登録商標）、シリアル通信インターフェース（シリアル通信  Ｉ／Ｆ）、無線ＬＡＮインターフェース（無線ＬＡＮ  Ｉ／Ｆ）などの通信インターフェース（通信  Ｉ／Ｆ）など、専用インターフェースを備えるものがある。また、機能拡張装置を機能拡張装置用インターフェース５に装着することで制御装置の基本性能やソフトウェア機能の拡張可能なものがあり、これには機能拡張装置自体にはＣＰＵを持たないが制御装置が機能拡張装置の持つＩＤ情報などを識別し、通常は制限されて使用出来ない制御装置の特定の基本性能や、特定のソフトウェア機能を解放するものと、機能拡張装置自体にＣＰＵを持ち制御装置の処理の一部を負担し、基本性能向上やソフトウェア機能追加を実現するものが含まれる。
【００１６】
図４は加工工程・加工対象物の変更時に本発明がもたらす機械ユーザへの利便性向上の例を示す図である。機械仕様の異なる機械２００と機械２０１があり、どちらにも機能拡張装置を挿入できる挿入口を備えた制御装置が取付けられている。機械２００にはある特定の機能Ｘ（例えばＳＤカード  Ｉ／Ｆ）が入った機能拡張装置３−１が装着されているが、機械ユーザは加工工程や加工対象の変更に伴い、別の機械２０１で機能Ｘが必要になった場合、機械２００に装着されている機能Ｘの入った機能拡張装置を機械２００の前面から盤３００を開けずに取り外し、機械２０１の前面から盤３０１を開けずに機械２０１に装着することで即座に機械２０１で機能Ｘを使用することが可能となる。
【００１７】
図５は加工ワークの測定時に本発明がもたらす機械ユーザへの利便性向上の例を示す図である。機械２０２で加工したワーク２０４の測定を行い、測定結果を制御装置に送り、管理もしくは処理をしたいが、前記制御装置に計測器の測定結果を受け取るためのインターフェースが無い。ＵＳＢメモリ  Ｉ／Ｆなどの外部メモリインターフェースやシリアル通信  Ｉ／Ｆなどの通信  Ｉ／Ｆを備える計測器２０５を機械ユーザが保有している場合、対応する外部メモリインターフェースや通信  Ｉ／Ｆを備える機能拡張装置３−２を機械の前面から盤３０２を開けずに機能拡張装置用インターフェースに装着することで、外部メモリや通信を介して、測定結果を制御装置に送ることが可能となる。また、このような加工ワークの測定作業の発生頻度が低い場合は、必ずしもすべての制御装置に計測器用の通信  Ｉ／Ｆや外部メモリインターフェース付きの機能拡張装置を備える必要が無く、複数台の制御装置で一つの機能拡張装置を共用することで機械ユーザが費用を削減することが可能となる。
【００１８】
実施の形態２．
図７はユーザインターフェース部に備えられた挿入口の例を示す図で、(a)は機能拡張装置未接続時の状態、(b)は機能拡張装置接続時の状態を示す。挿入口６は機械ユーザが機能拡張装置着脱時の着脱のし易さ向上及び誤挿入防止のために、ガイド部を有する。機能拡張装置の大きさに対して挿入口の方が大きく、遊びがあると、機能拡張装置の挿入位置がずれてしまったり、また、挿入向きを１８０度間違えて挿入したりすることによって、機能拡張装置用インターフェースに正しく接続出来ない、あるいは機能拡張装置用インターフェースが破損する恐れがある。ガイド部としては、機能拡張装置の外側面に第1のガイド部である凸部１１を形成し、機能拡張装置を挿入口に挿入した時に、機能拡張装置の外側面にある第1のガイド部の凸部１１が嵌合するように挿入口の内側面に第2のガイド部である凹部１２を設けることによって、機能拡張装置を機能拡張装置用インターフェースに正しく接続出来るように正しい挿入位置に誘導出来る構造になっている。また、挿入向きを180度間違えてしまった場合でも、第1のガイド部の凸部１１が第2のガイド部の凹部１２の位置に来ないような配置にすることによって、逆向きに挿入することが出来ない構造になっている。なお、ガイド部は挿入口の方に凸部を設け、機能拡張装置の方に、凹部を設けてもよい。
【００１９】
実施の形態３．
図６はユーザインターフェース部に備えられた挿入口に、スナップフィット式固定手段を備えた機能拡張装置を装着した状態を示す図である。機能拡張装置３は第1の固定手段であるスナップフィット凸部７を備え、ユーザインターフェース部１は第２の固定手段であるスナップフィット凹部８を備える。前記第1の固定手段であるスナップフィット凸部７と前記第２の固定手段であるスナップフィット凹部８の嵌合により機能拡張装置３をユーザインターフェース部１に固定することで、機械ユーザによる機能拡張装置上の通信又はメモリインターフェース１０への着脱や機械の加工時の振動によるストレスが機能拡張装置に加わっても、機能拡張装置用インターフェース５の嵌合及び電気的な接続には影響が出ない構造を持つ。また、ユーザインターフェース部の挿入口に挿入している機能拡張装置を取り出す時は、機能拡張装置がユーザインターフェース部の表面から飛び出している部分を掴んで引っ張ることにより、取り出すことが出来る。図６の例でいうと、ユーザインターフェース部の表面から飛び出しているスナップフィットを掴んで引っ張ることにより、取出すことが出来る。また、機能拡張装置を取り出しやすくするために、機能拡張装置に手で掴むための取っ手を設けても良い。
【００２０】
スナップフィット式固定手段を一例で説明したが、固定手段はスナップフィット式に限定されず、他の方式であってもよい。
図８はユーザインターフェース部に備えられた挿入口に、ネジ式固定手段を備えた機能拡張装置を装着した状態を示す図である。機能拡張装置３は第1の固定手段である固定用ネジ１３を備え、ユーザインターフェース部１は第２の固定手段である固定用ネジ穴１４を備える。前記第1の固定手段である固定用ネジ１３と前記第２の固定手段である固定用ネジ穴１４の嵌合により機能拡張装置３をユーザインターフェース部１に固定することで、機械ユーザによる機能拡張装置上の通信又はメモリインターフェース１０への着脱や機械の加工時の振動によるストレスが機能拡張装置に加わっても、機能拡張装置用インターフェース５の嵌合及び電気的な接続には影響が出ない構造を持つ。また、ユーザインターフェース部の挿入口に挿入している機能拡張装置を取り出す時は、図示しない取っ手を機能拡張装置に設けておいて、それを掴んで引っ張ることにより、取り出すことが出来る。
【００２１】
実施の形態４．
図６、図７(b)、図８、及び図９(b)に示すように、機能拡張装置は挿入口から挿入した際に入出力処理部と反対側になる端面に、挿入口よりも広がっているつば部１５を備え、機能拡張装置を挿入口から挿入し機能拡張装置用インターフェースと接続した際に、挿入口の周囲に設けられた密閉手段であるパッキンとつば部が密着し挿入口を密閉する構造になっている。この構造により、工場内の油や粉塵などの異物が挿入口を通じて内部に侵入することを防ぐことができる。
【００２２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２３】
１  ユーザインターフェース部
１−１  表示部
１−２  操作部
３、３−１、３−２  機能拡張装置
４  入出力処理部
５  機能拡張装置用インターフェース
６  挿入口
７  スナップフィット凸部（第1の固定手段）
８  スナップフィット凹部（第２の固定手段）
９  パッキン（密閉手段）
１０  通信又はメモリインターフェース
１１  凸部（第１のガイド部）
１２  凹部（第2のガイド部）
１３  固定用ネジ（第1の固定手段）
１４  固定用ネジ穴（第２の固定手段）
１５  つば部
１００  制御装置
２００、２０１、２０２  機械
２０４  ワーク
３００、３０１、３０２  盤
【図１】
2019138530.tif 000003
【図２】
2019138530.tif 000004
【図３】
2019138530.tif 000005
【図４】
2019138530.tif 000006
【図５】
2019138530.tif 000007
【図６】
2019138530.tif 000008
【図７】
2019138530.tif 000009
【図８】
2019138530.tif 000010
【図９】
2019138530.tif 000011
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
機械の盤に設置される制御装置において、
機械ユーザとの情報の入出力に用いられるユーザインターフェース部と、
前記制御装置の機能の拡張又は性能の向上を実現するための機能拡張装置との情報の入出力を行う入出力処理部と、を備え、
前記ユーザインターフェース部は前記機械の盤に開けた穴から露出するように前記盤に設置され、
前記機能拡張装置は、前記ユーザインターフェース部の前記盤に開けた穴から露出した面に開口した挿入口から挿入されて、前記ユーザインターフェース部の背面に設置された前記入出力処理部と接続され、
前記入出力処理部は、機能ごとに異なる複数の機能拡張装置の何れかと情報の入出力を行う
ことを特徴とする制御装置。
【請求項２】
前記入出力処理部は、外部と接続するための異なる専用インターフェースを備えた前記機能拡張装置と接続し、前記機能拡張装置を介して外部と情報の入出力を行う
ことを特徴とする請求項１に記載の制御装置。
【請求項３】
前記ユーザインターフェース部は表示部または操作部のいずれかであることを特徴とする請求項１または２に記載の制御装置。
【請求項４】
前記挿入口は、外側面に第１のガイド部が形成された前記機能拡張装置を前記挿入口に挿入した際に、前記第１のガイド部と嵌まり合う第２のガイド部が内壁面に形成されていることを特徴とする請求項１から３のいずれか一つに記載の制御装置。
【請求項５】
前記ユーザインターフェース部は、第１の固定手段を備えた前記機能拡張装置を前記挿入口から挿入し前記入出力処理部に接続した際に、第１の固定手段と嵌合し前記機能拡張装置を前記ユーザインターフェース部に固定する第２の固定手段を、
備えることを特徴とする請求項１から４のいずれか一つに記載の制御装置。
【請求項６】
前記ユーザインターフェース部は、挿入方向と反対側の端面に、前記挿入口よりも広がっているつば部を備えた前記機能拡張装置を前記挿入口から挿入し前記入出力処理部に接続した際に、前記つば部と密着し前記挿入口を密閉する密閉手段を、
備えることを特徴とする請求項１から５のいずれか一つに記載の制御装置。
【請求項７】
制御装置の機能の拡張又は性能の向上を実現する機能拡張装置において、
外部と接続するための異なる専用インターフェースを備え、
機械の盤に設置される制御装置のユーザインターフェース部に設けられた挿入口から挿入し、前記ユーザインターフェース部の背面に設置された入出力処理部と接続することによって、前記制御装置と情報の入出力を行い、前記専用インターフェースに対応する拡張機能を実現することを特徴とする機能拡張装置。
【請求項８】
内壁面に第２のガイド部が形成された前記挿入口に挿入した際に、前記第２のガイド部と嵌まり合う第１のガイド部を外側面に形成されていることを特徴とする請求項７に記載の機能拡張装置。
【請求項９】
第２の固定手段を備えた前記ユーザインターフェース部に設けられた前記挿入口から挿入した際に、第２の固定手段と嵌合し前記機能拡張装置を前記ユーザインターフェース部に固定する第１の固定手段を備えることを特徴とする請求項７または８に記載の機能拡張装置。
【請求項１０】
挿入方向と反対側の端面に、前記挿入口よりも広がっているつば部を備え、
前記つば部は前記ユーザインターフェース部の前記挿入口の周囲に設けられた密着手段と密着し前記挿入口を密閉することを特徴とする請求項７から９に記載の機能拡張装置。
【手続補正２】
【補正対象書類名】明細書
【補正対象項目名】０００８
【補正方法】変更
【補正の内容】
【０００８】
上述した課題を解決し、目的を達成するために、本発明は、機械の盤に設置される制御装置において、機械ユーザとの情報の入出力に用いられるユーザインターフェース部と、制御装置の機能の拡張又は性能の向上を実現するための機能拡張装置との情報の入出力を行う入出力処理部と、を備え、ユーザインターフェース部は機械の盤に開けた穴から露出するように盤に設置され、機能拡張装置は、ユーザインターフェース部の盤に開けた穴から露出した面に開口した挿入口から挿入されて、ユーザインターフェース部の背面に設置された入出力処理部と接続され、入出力処理部は、機能ごとに異なる複数の機能拡張装置の何れかと情報の入出力を行うことを特徴とする。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
機械の盤に設置される制御装置において、
機械ユーザとの情報の入出力に用いられるユーザインターフェース部と、
前記制御装置の機能の拡張又は性能の向上を実現する回路を備えた機能拡張装置との情報の入出力を行う入出力処理部と、を備え、
前記ユーザインターフェース部は前記機械の盤に開けた穴から露出するように前記盤に設置され、
前記機能拡張装置は、前記ユーザインターフェース部の前記盤に開けた穴から露出した面に開口した挿入口から挿入されて、前記ユーザインターフェース部の背面に設置された前記入出力処理部と接続され、
前記入出力処理部は、機能ごとに異なる複数の機能拡張装置の何れかと情報の入出力を行う
ことを特徴とする制御装置。
【請求項２】
前記入出力処理部は、外部と接続するための異なる専用インターフェースを備えた前記機能拡張装置と接続し、前記機能拡張装置を介して外部と情報の入出力を行う
ことを特徴とする請求項１に記載の制御装置。
【請求項３】
前記ユーザインターフェース部は表示部または操作部のいずれかであることを特徴とする請求項１または２に記載の制御装置。
【請求項４】
前記挿入口は、外側面に第１のガイド部が形成された前記機能拡張装置を前記挿入口に挿入した際に、前記第１のガイド部と嵌まり合う第２のガイド部が内壁面に形成されていることを特徴とする請求項１から３のいずれか一つに記載の制御装置。
【請求項５】
前記ユーザインターフェース部は、第１の固定手段を備えた前記機能拡張装置を前記挿入口から挿入し前記入出力処理部に接続した際に、第１の固定手段と嵌合し前記機能拡張装置を前記ユーザインターフェース部に固定する第２の固定手段を、
備えることを特徴とする請求項１から４のいずれか一つに記載の制御装置。
【請求項６】
前記ユーザインターフェース部は、挿入方向と反対側の端面に、前記挿入口よりも広がっているつば部を備えた前記機能拡張装置を前記挿入口から挿入し前記入出力処理部に接続した際に、前記つば部と密着し前記挿入口を密閉する密閉手段を、
備えることを特徴とする請求項１から５のいずれか一つに記載の制御装置。
【請求項７】
制御装置の機能の拡張又は性能の向上を実現する回路を備えた機能拡張装置において、
外部と接続するための異なる専用インターフェースを備え、
機械の盤に設置される制御装置のユーザインターフェース部に設けられた挿入口から挿入し、前記ユーザインターフェース部の背面に設置された入出力処理部と接続することによって、前記制御装置と情報の入出力を行い、前記専用インターフェースに対応する拡張機能を実現することを特徴とする機能拡張装置。
【請求項８】
内壁面に第２のガイド部が形成された前記挿入口に挿入した際に、前記第２のガイド部と嵌まり合う第１のガイド部を外側面に形成されていることを特徴とする請求項７に記載の機能拡張装置。
【請求項９】
第２の固定手段を備えた前記ユーザインターフェース部に設けられた前記挿入口から挿入した際に、第２の固定手段と嵌合し前記機能拡張装置を前記ユーザインターフェース部に固定する第１の固定手段を備えることを特徴とする請求項７または８に記載の機能拡張装置。
【請求項１０】
挿入方向と反対側の端面に、前記挿入口よりも広がっているつば部を備え、
前記つば部は前記ユーザインターフェース部の前記挿入口の周囲に設けられた密着手段と密着し前記挿入口を密閉することを特徴とする請求項７から９に記載の機能拡張装置。
【手続補正２】
【補正対象書類名】明細書
【補正対象項目名】０００８
【補正方法】変更
【補正の内容】
【０００８】
上述した課題を解決し、目的を達成するために、本発明は、機械の盤に設置される制御装置において、機械ユーザとの情報の入出力に用いられるユーザインターフェース部と、制御装置の機能の拡張又は性能の向上を実現する回路を備えた機能拡張装置との情報の入出力を行う入出力処理部と、を備え、ユーザインターフェース部は機械の盤に開けた穴から露出するように盤に設置され、機能拡張装置は、ユーザインターフェース部の盤に開けた穴から露出した面に開口した挿入口から挿入されて、ユーザインターフェース部の背面に設置された入出力処理部と接続され、入出力処理部は、機能ごとに異なる複数の機能拡張装置の何れかと情報の入出力を行うことを特徴とする。
【国際調査報告】
2019138530.tif 000012
2019138530.tif 000013
2019138530.tif 000014
2019138530.tif 000015